(57)【要約】【課題】冷凍コンテナ等、監視対象機器の状況を常時連続監視し、かつ集中管理することの可能なシステムを提供する。【解決手段】複数の冷凍コンテナＡに接続されてその運転状態を個別に検出する監視端末装置１０と、イーサネット（登録商標）３、ルータ２０及びインターネット４を介して監視端末装置１０から冷凍コンテナＡの運転データを収集し監視する監視サーバ３０と、インターネット４を介して監視サーバ３０と交信可能なユーザパソコン４０とを備え、冷凍コンテナＡのいずれかの運転状態に異常が検出された場合に、その異常検出データを、監視サーバ３０が、異常が発生した冷凍コンテナを管理するユーザの携帯電話機５０へ送信する。【選択図】　図１
2004005136.tif 000002
【特許請求の範囲】
【請求項１】
単一乃至複数の監視対象機器に接続されて監視対象機器の運転状態を検出する監視端末装置と、通信網を介して前記監視端末装置から前記監視対象機器の運転データを収集し監視する監視サーバと、前記通信網を介して前記監視サーバと交信可能なユーザの情報端末装置とを備え、前記監視対象機器の運転状態に異常が検出された場合に、その異常検出データを、前記監視サーバが異常の発生した監視対象機器を保有するユーザの通信端末装置へ送信することを特徴とする遠隔監視システム。
【請求項２】
監視端末装置が、複数の監視対象機器と接続可能であって、接続される各監視対象機器の固有の識別データと、各監視対象機器の接続ポート番号と、自己の識別データと、送信先のアドレスデータを設定可能であることを特徴とする請求項１に記載の遠隔監視システム。
【請求項３】
通信網への監視端末装置の接続が非固定ＩＰ接続によるものであり、前記監視端末装置は、自己の現在のＩＰアドレスと識別データを能動的に監視サーバへ通知して接続することを特徴とする請求項１に記載の遠隔監視システム。
【請求項４】
監視サーバで収集された監視対象機器の運転データが、ユーザの情報端末装置のＷｅｂ画面に表示可能であることを特徴とする請求項１に記載の遠隔監視システム。
【請求項５】
監視サーバのデータベースには、異常検出データを送信すべき第一候補の通信端末装置のアドレスと、他の通信端末装置のアドレスが登録されており、第一候補の通信端末装置が通信不可能である場合に、異常検出データが、他の通信端末装置へ送信されることを特徴とする請求項１に記載の遠隔監視システム。
【請求項６】
監視対象機器が冷凍コンテナであり、監視端末装置が、監視対象機器における冷凍装置及び霜取り装置の駆動信号と、設定温度と温度センサにより検出された庫内温度との偏差が許容値である場合に出力される適温信号により前記冷凍コンテナの状態を検出することを特徴とする請求項１に記載の遠隔監視システム。
【発明の詳細な説明】
【０００１】
【発明の属する技術分野】
本発明は、例えば冷凍コンテナ等、監視対象機器の運転状態を常時遠隔監視して、異常発生時に、この監視対象機器を保有するユーザに報知する遠隔監視システムに関する。
【０００２】
【従来の技術】
船舶等による積荷の輸送において、積荷が食肉、農産物あるいは水産物等のような生鮮食料品である場合、その腐敗や鮮度低下を防止するために、冷凍コンテナが用いられる。このような冷凍コンテナは、庫内を冷却する冷凍装置が一体的に設けられており、庫内温度を検出する温度センサからの検出信号に基づいて、庫内温度が予め設定された一定の低温状態を保つように、冷凍装置の運転が制御される。また、冷凍装置の冷媒回路における蒸発器に霜が発生すると、冷却効果が損なわれるので、適時に霜取り装置が作動して、霜を融解させるようになっている。
【０００３】
生鮮食料品等を収納した冷凍コンテナは、積出し港では船待ちのため、また積下ろし港では陸上輸送便待ち等のために、港内のコンテナヤードで、比較的長い期間保管される場合があり、したがって、コンテナヤード等での保管中においても、冷凍コンテナ内は所定の温度に維持しておかなければならない。このため、コンテナヤードには、冷凍コンテナの冷凍装置等に電力を供給できるように、冷凍コンテナ設置スペース毎に電源設備が設けられている。また、各冷凍コンテナには、庫内温度等を示す表示部が設けられていて、管理担当者がコンテナヤード内を定期的に巡回しながら、各冷凍コンテナの庫内温度等を目視で確認できるようになっている。
【０００４】
【発明が解決しようとする課題】
しかし従来、冷凍コンテナの運転状況の監視は、各地のコンテナヤード等で、管理担当者が巡回によって適時に行う程度なのが現状であって、常時連続監視し、かつ集中管理するようなシステムは存在しなかった。したがって、ある冷凍コンテナに異常が発生した場合、その対応が遅れて、内部の生鮮食料品等に傷みを発生してしまうおそれがあった。
【０００５】
本発明は、上記のような問題に鑑みてなされたもので、その技術的課題とするところは、冷凍コンテナ等、監視対象機器の状況を常時連続監視し、かつ集中管理することによって、異常発生時の迅速な対応が可能なシステムを提供することにある。
【０００６】
【課題を解決するための手段】
上述した技術的課題を有効に解決するための手段として、請求項１の発明に係る遠隔監視システムは、単一乃至複数の監視対象機器に接続されて監視対象機器の運転状態を検出する監視端末装置と、通信網を介して前記監視端末装置から前記監視対象機器の運転データを収集し監視する監視サーバと、前記通信網を介して前記監視サーバと交信可能なユーザの情報端末装置とを備え、前記監視対象機器の運転状態に異常が検出された場合に、その異常検出データを、前記監視サーバが異常の発生した監視対象機器を保有するユーザの通信端末装置へ送信するものである。
【０００７】
請求項２の発明に係る遠隔監視システムは、請求項１に記載のシステムにおいて、監視端末装置が、複数の監視対象機器と接続可能であって、接続される各監視対象機器の固有の識別データと、各監視対象機器の接続ポート番号と、自己の識別データと、送信先のアドレスデータを設定可能である。
【０００８】
請求項３の発明に係る遠隔監視システムは、請求項１に記載のシステムにおいて、通信網への監視端末装置の接続が非固定ＩＰ接続によるものであり、前記監視端末装置は、自己の現在のＩＰアドレスと識別データを能動的に監視サーバへ通知して接続するものである。
【０００９】
請求項４の発明に係る遠隔監視システムは、請求項１に記載のシステムにおいて、監視サーバで収集された監視対象機器の運転データが、ユーザの情報端末装置のＷｅｂ画面に表示されるものである。
【００１０】
請求項５の発明に係る遠隔監視システムは、請求項１に記載のシステムにおいて、監視サーバのデータベースには、異常検出データを送信すべき第一候補の通信端末装置のアドレスと、他の通信端末装置のアドレスが登録されており、第一候補の通信端末装置が通信不可能である場合に、異常検出データが、他の通信端末装置へ送信される。
【００１１】
請求項６の発明に係る遠隔監視システムは、請求項１に記載のシステムにおいて、監視対象機器が冷凍コンテナであり、監視端末装置が、監視対象機器における冷凍装置及び霜取り装置の駆動信号と、設定温度と温度センサにより検出された庫内温度との偏差が許容値である場合に出力される適温信号により前記冷凍コンテナの状態を検出するものである。
【００１２】
【発明の実施の形態】
以下、本発明に係る遠隔監視システムを、冷凍コンテナの監視に適用した好ましい実施の形態を、図面を参照しながら説明する。図１は、本形態による遠隔監視システムの構成を概略的に示す説明図である。
【００１３】
図１において、参照符号１，２，…は全国各地又は世界各地に存在するコンテナヤードである。コンテナヤード１には、本形態による監視対象機器である多数の冷凍コンテナＡ（Ａ１，Ａ２，…）が保管されており、コンテナヤード２には、多数の冷凍コンテナＡ（Ａｎ＋１，Ａｎ＋２，…）が保管されている。これら各冷凍コンテナＡは、冷凍装置及び霜取り装置が内蔵されており、各コンテナヤードに設けられた電源に接続されることにより運転される。
【００１４】
各冷凍コンテナＡの庫内温度は、温度センサによって常時検出されており、冷凍装置や霜取り装置の駆動は、予め設定された温度になるように、前記温度センサからの検出値に基づいて、内部の制御装置により制御されている。冷凍装置及び霜取り装置の駆動・停止信号は、前記制御装置から出力されており、温度センサで検出された庫内温度と設定温度との偏差が許容範囲内にある場合は、前記制御装置から適温信号が出力され、これらの信号は、コネクタを介して外部へ出力可能となっている。
【００１５】
図１において、参照符号１０（１０ａ，１０ｂ，１０ｃ，１０ｄ，…）は監視端末装置で、後述するように、６チャネルの監視データ入力ポート１０１１〜１０１６（図２参照）を有する。そして監視端末装置１０ａの各監視データ入力ポートは、コンテナヤード１における冷凍コンテナＡ１，Ａ２，…Ａ６の信号出力コネクタに接続され、監視端末装置１０ｂの各監視データ入力ポートは、コンテナヤード２における冷凍コンテナＡｎ＋１，Ａｎ＋２，…Ａｎ＋６の信号出力コネクタに接続され、以下同様に、監視端末装置１０ｃの各監視データ入力ポートは、コンテナヤード２における冷凍コンテナＡｎ＋７，Ａｎ＋８，…Ａｎ＋１２の信号出力コネクタに接続され、監視端末装置１０ｄの各監視データ入力ポートは、コンテナヤード２における冷凍コンテナＡｎ＋１３，Ａｎ＋１４，…Ａｎ＋１８の信号出力コネクタ（不図示）に接続されている。
【００１６】
参照符号２０（２０Ａ，２０Ｂ，…）はルータで、このうちルータ２０Ａは、イーサネット（登録商標）３Ａを介してコンテナヤード１における監視端末装置１０ａに接続されており、ルータ２０Ｂは、コンテナヤード２における各監視端末装置１０ｂ〜１０ｄにイーサネット（登録商標）３Ｂを介して接続されており、それぞれプロバイダ（不図示）を介して、広域通信網であるＷＡＮ（Ｗｉｄｅ　Ａｒｅａ　Ｎｅｔｗｒｏｋ）等のインターネット４に接続されている。
【００１７】
参照符号５は、本システムを運用する監視センタ、３０は監視センタ５に設置された監視サーバで、監視サーバ３０は、プロバイダ（不図示）を介してインターネット４に接続されている。すなわち監視端末装置１０は、イーサネット（登録商標）３、ルータ２０及びインターネット４を介して、監視サーバ３０と交信することができる。
【００１８】
参照符号４０は、ユーザの保有するパーソナルコンピュータ（以下、ユーザパソコンという）である。このうちユーザパソコン４０Ａは、コンテナヤード１に保管される冷凍コンテナＡ（Ａ１，Ａ２，…）を管理するユーザが保有するものであり、ユーザパソコン４０Ｂは、コンテナヤード２に保管される冷凍コンテナＡ（Ａｎ＋１，Ａｎ＋２，…）を管理するユーザが保有するものである。また、参照符号５０はユーザの管理担当者が所持する携帯電話機で、このうち携帯電話機５０Ａは、コンテナヤード１に保管される冷凍コンテナＡ（Ａ１，Ａ２，…）を管理する担当者が所持するものであり、携帯電話機５０Ｂは、コンテナヤード２に保管される冷凍コンテナＡ（Ａｎ＋１，Ａｎ＋２，…）を管理する担当者が所持するものである。そして、これらユーザパソコン４０及び携帯電話機５０は、それぞれプロバイダ（不図示）を介してインターネット４に接続されている。
【００１９】
本システムのユーザは、ユーザパソコン４０からプロバイダ及びインターネット４を介して監視サーバ３０と交信することができる。この場合、監視サーバ３０との交信は、インターネット４における標準プロトコルであるＴＣＰ／ＩＰで、ｈｔｔｐによって行われ、監視サーバ３０のＵＲＬや、ユーザＩＤ及びパスワード等を用いて監視サーバ３０にアクセスし、認証されることにより、テキストデータやグラフィックデータを入手し、ユーザパソコン４０のディスプレイに表示することができる。
【００２０】
図２は、監視端末装置１０の内部構造を示す説明図、図３は、同じく外観図である。まず図２に示されるように、監視端末装置１０は、６チャネルの監視データ入力ポート１０１１〜１０１６と、ＦＰＧＡ（Ｆｉｅｌｄ　Ｐｒｏｇｒａｍｂｌｅ　Ｇａｔｅ　Ａｒｒａｙ）１０２と、このＦＰＧＡ１０２に接続されたＣＰＵ（ＣｅｎｔｒａｌＰｒｏｃｅｓｓｉｎｇ　Ｕｎｉｔ）１０３、ＲＯＭ（Ｒｅａｄ　Ｏｎｌｙ　Ｍｅｍｏｒｙ）１０４、ＲＡＭ（Ｒａｎｄｏｍ　Ａｃｃｅｓｓ　Ｍｅｍｏｒｙ）１０５及びイーサネット（登録商標）インターフェイス１０６と、電源回路１０７とを備える。監視データ入力ポート１０１１〜１０１６は、それぞれ１チャネル分のアイソレーション機能付き入出力回路を有する。また、ＲＯＭ１０４に内蔵された制御プログラム（ファームウェア）や、チャネルボードの変更によって、シリアル通信型の冷凍コンテナと接続することができる。
【００２１】
図３に示されるように、監視端末装置１０のケーシング１００には、各監視データ入力ポート１０１１〜１０１６と対応して、ＬＥＤからなるモニタランプ１０８１〜１０８６と、アラームランプ１０９１〜１０９６と、各監視データ入力ポート１０１１〜１０１６を開閉するコンテナ監視スイッチ１１０１〜１１０６が設けられている。また、参照符号１１１は７セグメントＬＥＤによる２桁の装置番号表示部、１１２は電源スイッチ、１１３は図２に示されるイーサネット（登録商標）インターフェイス１０６に接続されたイーサネット（登録商標）ケーブル、１１４はモード切換スイッチである。監視端末装置１０による監視データは、イーサネット（登録商標）インターフェイス１０６を通じて送信される。
【００２２】
図３に示されるモニタランプ１０８１〜１０８６及びアラームランプ１０９１〜１０９６は、各監視データ入力ポート１０１１〜１０１６を介して入力される各冷凍コンテナの冷凍装置及び霜取り装置の駆動・停止信号や適温信号に基づいて、図２に示されるＣＰＵ１０３及びＦＰＧＡ１０２を介して制御され、点滅パターンや、点灯と消灯の組み合わせ等により、接続された各冷凍コンテナＡの運転状態を視覚的に報知するものである。
【００２３】
図３に示されるモード切換スイッチ１１４は、監視端末装置１０の処理モードを、通常監視モードと、初期設定モードと、サービスモードのいずれかに選択するもので、このモード切換スイッチ１１４によって通常監視モードが選択された場合は、監視データ入力ポート１０１１〜１０１６を介して入力される各冷凍コンテナの駆動・停止信号や適温信号等に基づいて、通常の監視が行われる。また、モード切換スイッチ１１４によって初期設定モード又はサービスモードが選択された場合は、自己のＩＰアドレスと、固有識別データと、監視データの送信先ＩＰアドレスと、ｈｔｔｐ独自ポート番号等のパラメータを、任意のパソコンから、Ｗｅｂブラウザを介して設定することができる。
【００２４】
詳しくは、モード切換スイッチ１１４によって初期設定モードが選択された場合は、自己のイーサネット（登録商標）３内でのみ有効なプライベートＩＰアドレス、ネットマスク、ゲートウェイアドレスや、固有識別データを設定することができる。自己の固有識別データは、その監視データを監視サーバ３０へ通知する際に使用される名前であり、８桁の文字列からなるＡＳＣＩＩコードで設定（変更）することができる。なお、これらの初期設定は、インターネット４に接続する前に、当該監視端末装置１０とパソコンとの接続状態のみで行う。
【００２５】
また、インターネット４への接続状態で、モード切換スイッチ１１４によってサービスモードが選択された場合は、監視データの送信先ＩＰアドレス（第一指定ＩＰアドレス及び第二指定ＩＰアドレス）と、十進数のｈｔｔｐ独自ポート番号を設定することができる。なお、モード切換スイッチ１１４による通常監視モードへの切り換えは、これら送信先ＩＰアドレス及びポート番号の設定後に行う必要がある。また、これら送信先ＩＰアドレス及びポート番号の設定は、インターネット４への接続前に行うことも可能である。
【００２６】
図１に示されるルータ２０は、イーサネット（登録商標）３とインターネット４とを中継するもので、監視端末装置１０からの監視データを、監視サーバ３０の指定されたＩＰアドレスへ確実に送信し、あるいは監視サーバ３０からインターネット４を介して送信されるデータを、指定された監視端末装置１０へ確実に配信するものである。したがって、監視端末装置１０で設定されたポート番号を有効にするためには、図４に、パラメータの設定例を示すように、ルータ２０において、インターネット４を介して要求されるＴＣＰポート番号と各監視端末装置１０ａ，１０ｂ，…のＩＰアドレスが対応するように設定する。なお、図４に例示されたＩＰアドレスは、イーサネット（登録商標）３内のみで用いられるプライベートＩＰアドレスである。
【００２７】
監視サーバ３０は、コンピュータによる情報処理装置であって、ユーザ毎の監視条件が設定されたデータベース備え、各監視端末装置１０への監視データ受信要求を行うことによって、インターネット４を介して監視データを取り込んでデータベースに系統的に蓄積し、ユーザからの要求に応じてデータの取り出しや更新を行うものである。また、ユーザにＩＤを発行し、ユーザパソコン４０からのアクセスがあると、ユーザＩＤ及びパスワード等に基いて認証を行った後で、ユーザの要求に応じて、所要のデータを画像データとして送信する機能、及び監視端末装置１０から異常発生のデータを受信した場合に、データベース（後述の監視用ＲＤＢ３４）による監視条件の設定内容に従って、ユーザの携帯電話機５０にメール通知を行うメール送信機能を有する。
【００２８】
ここで、以上のように構成された本形態の遠隔監視システムは、専用線を用いず、ＮＴＴによる高速データ通信であるＡＤＳＬ（Ａｓｙｍｍｅｔｒｉｃ　Ｄｉｇｉｔａｌ　Ｓｕｂｓｃｒｉｂｅｒ　Ｌｉｎｅ）、ＮＴＴが提供するインターネット接続用の定額通話料サービスであるフレッツ（商標）ＩＳＤＮ、ＤＤＩポケット株式会社が提供する定額データ通信サービスであるＡｉｒＨ”（商標）等の簡易接続手法により、低額の通信費用で常時監視を可能としたことを特徴としている。
【００２９】
従来の接続方式では、ＩＰアドレスは固定的に、また装置ごと独立に設定する事が必須であり、本質的にシステムに対する必要要件が限定的かつ固定的で、端末数と対応して多数のＩＰアドレスを必要とするため、固定ＩＰアドレスで本システムと同等のシステムを実現し、これを維持するには、著しく高価になってしまうことが避けられない。
【００３０】
これに対し、上述のような、ＡＤＳＬ、フレッツＩＳＤＮ、ＡｉｒＨ”等の簡易接続手法では、一般にＩＰアドレスが接続毎に変化する（非固定ＩＰ接続）。そこで本形態の遠隔監視システムにおいては、監視端末装置１０が、固有の装置名（装置番号）の報告手順（ＵＤＰによる装置名通知）によって、監視サーバ３０に対し、自己の現在のＩＰアドレスを通知する。これにより、非固定ＩＰ接続環境において、監視サーバ３０が、特定の監視端末装置１０にアクセスして、冷凍コンテナの状態を常時監視することを可能とした。
【００３１】
また、非固定ＩＰ接続の場合、１つのＩＰアドレスしか割り当てられないので、１つの接続において、１台の端末しか接続できないが、本システムにおける監視端末装置１０は、ルータ２０を介して独自のポート番号により接続され、監視端末装置１０が上述した手順で自己の現在のＩＰアドレスを通知する際に、この独自ポート番号も監視サーバ３０に通知するので、１台のルータ２０を通じて複数の監視端末装置１０を、インターネット４に接続することにより、それらを監視サーバ３０で互いに独立的に監視することができる。すなわち、監視サーバ３０は、インターネット上の任意のポイントに設置された監視端末装置１０を検出し、動的な監視対象の追加・削除が可能となる。
【００３２】
これらの特徴は、監視端末装置１０が、監視サーバ３０に対して、ＵＤＰにより自己の装置名、ＩＰアドレス、ポート番号を通知する機能により実現したものである。
【００３３】
図５は、本システムにおけるデータの流れを示す説明図である。すなわち、この図５に示されるように、監視端末装置１０は、電源スイッチ１１２により電源が投入され、通常モードで通信可能になると、ポート番号５００００（十進数）のＵＤＰで、８桁の文字列からなるＡＳＣＩＩ（商標）コードによる監視端末装置１０の固有識別データ及びポート番号による接続通知データを、初期設定モードで設定された監視サーバ３０の第一指定ＩＰアドレスへ、ルータ２０を介して、例えば１５秒間隔で送信する。そして、例えば前記ＡＳＣＩＩコード及びポート番号を２０回送信しても、そのＩＰからｈｔｔｐによる監視データ受信要求がない場合は、第二指定ＩＰアドレスへ送信し、監視データ受信要求を待つ。そして、２０回送信しても監視データ受信要求がない場合は、再び送信先を第一指定ＩＰアドレスへ切り換える。このようにして、第一又は第二指定ＩＰアドレスのいずれかから受信要求があるまで、前記ＡＳＣＩＩコード及びポート番号等による接続通知データを送信し続ける。
【００３４】
また、第一又は第二指定ＩＰアドレスのいずれかからｈｔｔｐによる監視データ受信要求があると、監視端末装置１０のＣＰＵ１０３は、通信経路が確立したものと判断して、例えば１分間隔の送信頻度で、各冷凍コンテナＡからの入力信号に基づく監視データを送信する。監視端末装置１０（１０ａ，１０ｂ，…）からの監視データは、ＵＤＰ／ＩＰプロトコルにより、監視サーバ３０の指定ＩＰアドレスへ送信される。
【００３５】
ユーザは、ユーザパソコン４０から、所定のＷｅｂ画面上で固有のＩＤ及びパスワードを入力して認証を受けることにより、当該ユーザの保有する冷凍コンテナの状態を確認することができる。
【００３６】
図６は、監視サーバ３０による処理ブロックを示す説明図である。すなわち、この図６に示されるように、監視サーバ３０は、監視端末装置通信制御部３１と、引継ぎファイル３２と、監視制御部３３と、監視用ＲＤＢ３４と、ＷｅＢ画面対応制御部３５とからなる。
【００３７】
監視端末装置通信制御部３１における処理には、ＵＤＰ処理とＴＣＰ処理がある。詳しくは、ＵＤＰ処理は、監視端末装置１０から受信した接続通知データにより、受信時刻、監視端末装置１０のＩＰアドレス、監視端末装置１０のＩＤ、監視端末装置１０に設定されたポート番号等のデータを引継ぎファイル３２に書き込む。また、ＴＣＰ処理では、監視制御部３３からのスイッチ情報、及び監視端末装置１０の装置番号（装置番号表示部１１１に表示される番号）を編集して監視端末装置１０へ監視データ受信要求を行い、監視端末装置１０からの応答情報を引継ぎファイル３２に書き込む。
【００３８】
監視制御部３３は、監視端末装置通信制御部３１と監視用ＲＤＢ３４のデータにより、監視端末装置１０との通信状態と、この監視端末装置１０に接続された各冷凍コンテナの状態を監視する。
【００３９】
このうち、監視端末装置１０との通信状態の監視は、監視端末装置１０におけるコンテナ監視スイッチ１１０１〜１１０６のうち、少なくとも１つがＯＮの場合において、すなわち監視状態において、監視端末装置１０から監視データを取得できない状態の経過時間を監視するものである。そして、監視データを取得することのできない時間が、予め規定した時間に達した場合は、該当する監視端末装置１０の管理者の携帯電話機５０へメール通知を行う。
【００４０】
監視端末装置１０に接続された各冷凍コンテナの状態の監視は、監視用ＲＤＢ３４における監視端末装置１０の監視データ入力ポート１０１１〜１０１６毎の適温中、霜取り中、冷凍中のデータによって、監視を行う。
【００４１】
ここで、冷凍コンテナの異常には、パワーオフ異常、適温外異常及び霜取り異常がある。このうち、パワーオフ異常は、冷凍コンテナへの電源の異常であり、したがって、適温信号や冷凍装置及び霜取り装置の駆動信号がＯＦＦの状態が、予め設定された所定の時間わたって続いた場合に、パワーオフ異常と判定する。また、適温外異常は、冷凍コンテナの庫内温度が設定温度に対して許容範囲外となる異常であり、したがって、適温信号がＯＦＦの状態が、予め設定された所定の時間にわたって続いた場合に、適温外異常と判定する。また、霜取り異常は、霜取り装置の駆動信号のＯＮ状態が、予め設定された所定の時間にわたって続いた場合に、霜取り異常と判定する。
【００４２】
そして、監視対象の多数の冷凍コンテナＡのうちいずれかに、上述のようなパワーオフ異常、適温外異常又は霜取り異常等の異常が発生した場合は、該当する冷凍コンテナを保有するユーザの管理担当者が所持する携帯電話機ユーザの携帯電話機５０を発呼し、発生した異常の種類及び該当する冷凍コンテナを特定するメール送信を行う。したがって、管理担当者は、異常の発生した冷凍コンテナへ直ちに赴き、迅速に対応することができる。
【００４３】
ところで、発呼先の携帯電話機５０の電源がＯＦＦになっていたり、携帯電話機５０を所持する管理担当者が電波の届かないエリアにいたり、その他の何らかの理由によって、異常発生時のメール通知が直ちに行われない場合も想定し得る。このような場合は、発呼後、所定の時間（例えば４０分程度）経過後に、顧客ＤＢ（不図示）に登録されている緊急連絡先へメール通知を行う。
【００４４】
ＷｅＢ画面対応制御部３５は、ユーザパソコン４０等から、Ｗｅｂブラウザを介して要求されることにより、監視用ＲＤＢ３４の記述内容を表示・更新・削除する機能を有する。図７〜図９は、ＷｅＢ画面対応制御部３５による画像表示の流れを示すフローチャート、図１０〜図１８は、それぞれ画面の表示例を示す説明図である。なお、図１０〜図１８に示される画面において「ＢＯＸ」あるいは「接続ＢＯＸ」は、監視端末装置１０のことであり、「接続口」とは、図３に示される監視データ入力ポート１０１１〜１０１６のことである。
【００４５】
まず図７において、ユーザが所定の画面上でユーザＩＤ及びパスワードを入力し、認証されることによって、「管理者メニュー」又は「お客様メニュー」を選択することができる（ステップＳ１０１）。「管理者メニュー」を選択した場合は、「管理者メニュー」画面が表示される（ステップＳ１０２）。「管理者メニュー」画面には、図１０に示されるように、「監視状況」「異常状況」「ログ表示」「運用情報」「削除」「ＢＯＸ情報とお客様情報との整合性チェック」等の選択メニューが表示される。
【００４６】
図１０に示される「管理者メニュー」画面上で、「監視状況」が選択された場合は、まず「監視状況」画面が表示され（ステップＳ１０３）、この「監視状況」画面から、「監視状態一覧表示」画面（ステップＳ１０４）及び「接続ＢＯＸ状況表示」画面（ステップＳ１０５）を開くことができる。「監視状態一覧表示」画面では、図１１に示されるように、各監視端末装置１０の接続口に接続された各冷凍コンテナの正常・異常が一覧表示され、「接続ＢＯＸ状況表示」画面では、図１２に示されるように、監視端末装置毎に、設置場所や異常発生時の通知間隔、担当者名等のほか、この監視端末装置に接続された各冷凍コンテナの運転状況が一覧表示される。
【００４７】
図１０に示される「管理者メニュー」画面上で、「異常状況」が選択された場合は、「異常状況一覧」画面が開かれる（ステップＳ１０６）。いずれの冷凍コンテナも正常であることが確認されている場合は、「異常状況一覧」画面には「未確認の異常はありません」と表示され、異常が発生している場合は、異常発生時刻、監視端末装置ＩＤ、異常の内容、メール通知時刻、メール通知先、及び確認ボタン等が表示される。確認ボタンを押した後は、次回からは表示されない。
【００４８】
図１０に示される「管理者メニュー」画面上で、「ログ表示」が選択された場合は、「ログ表示」画面が開かれる（ステップＳ１０７）。この「ログ表示」画面では、ユーザＩＤと、所望の監視端末装置ＩＤを入力することによって、その監視端末装置における各冷凍コンテナからの監視データの受信履歴が表示される「接続口状態受信ログ表示」画面（ステップＳ１０８）、異常データの受信履歴が表示される「異常ログ表示」画面（ステップＳ１０９）、あるいは、監視端末装置に関するログを更新する「更新ログ表示」画面（ステップＳ１１０）を開くことができる。
【００４９】
図１０に示される「管理者メニュー」画面上で、「運用情報」が選択された場合は、「運用情報メニュー」画面が開かれる（ステップＳ１１１）。この「運用情報メニュー」画面では、図１３に示されるように、ユーザに関するデータの「表示」「変更」「登録」、監視端末装置に関するデータの「表示」「変更」「登録」、監視条件データの「表示」「登録／変更」、及びシステムに関するデータの「表示」「登録／変更」等の選択メニューが表示される。
【００５０】
図１３に示される「運用情報メニュー」画面上で、ユーザデータの「登録」を選択した場合は、「＜登録＞お客様情報」画面が開かれる（ステップＳ１１２）。この「＜登録＞お客様情報」画面では、図１４に示されるように、当該ユーザの名称、住所、異常発生時のメール通知ができない場合の緊急連絡先、パワーオフ異常や適温外異常、霜取り異常等の判定基準となる設定時間や異常発生時の発報間隔、ユーザのパスワード等の入力フィールドが設けられ、各項目のデータを入力し、登録ボタンをクリックすることによって、これらのデータを登録することができる。
【００５１】
図１３に示される「運用情報メニュー」画面上で、ユーザデータの「変更」を選択した場合は、まず「お客様一覧」画面が開かれ（ステップＳ１１３）、ここに表示される本システムの登録ユーザのリストから、任意のユーザを選択することによって、「＜変更＞お客様情報」画面（ステップＳ１１４）が開かれる。この「＜変更＞お客様情報」の画面構成は、図１４に示される登録画面と同様であり、当該ユーザの名称、住所、異常発生時のメール通知ができない場合の緊急連絡先、異常判定のための設定時間や異常発生時の発報間隔、ユーザのパスワード等、登録済みのデータを、任意に変更することができる。
【００５２】
図１３に示される「運用情報メニュー」画面上で、ユーザデータの「表示」を選択した場合は、まず「お客様一覧」画面が開かれ（ステップＳ１１５）、ここに表示される本システムの登録ユーザのリストから、任意のユーザを選択することによって、「＜変更＞お客様情報」画面（ステップＳ１１６）が開かれる。この「＜表示＞お客様情報」画面では、上述の「＜登録＞お客様情報」画面で登録され、あるいは上述の「＜変更＞お客様情報」画面で変更登録された、当該ユーザの名称、住所、異常発生時のメール通知ができない場合の緊急連絡先、パワーオフ異常や適温外異常、霜取り異常等の判定基準となる設定時間や異常発生時の発報間隔、ユーザのパスワードと、登録時に発行されたユーザＩＤ等が一覧表示される。
【００５３】
図１３に示される「運用情報メニュー」画面上で、監視端末装置に関するデータの「登録」を選択した場合は、まず「お客様一覧」画面が開かれ（ステップＳ１１７）、ここに表示される本システムの登録ユーザのリストから、任意のユーザを選択することによって、「＜登録＞接続ＢＯＸ情報」画面が開かれる（ステップＳ１１８）。この「＜登録＞接続ＢＯＸ情報」画面では、図１５に示されるように、当該ユーザが使用する監視端末装置のＩＤ、接続チャネル数、装置番号、設置場所、異常発生時の発報間隔、設置場所での管理担当者（異常発生時のメール通知先）等の入力フィールドが設けられ、各項目のデータを入力し、登録ボタンをクリックすることによって、これらのデータを登録することができる。
【００５４】
図１３に示される「運用情報メニュー」画面上で、監視端末装置に関するデータの「変更」を選択した場合は、まず「接続ＢＯＸ一覧」画面が開かれ（ステップＳ１１９）、ここに一覧表示された監視端末装置リストから任意の監視端末装置を選択することによって、「＜変更＞接続ＢＯＸ情報」画面が開かれる（ステップＳ１２０）。この「＜登録＞接続ＢＯＸ情報」の画面構成は、図１５に示される登録画面と同様であり、当該ユーザが使用する監視端末装置の接続チャネル数、装置番号、設置場所、異常発生時の発報間隔、設置場所での管理担当者（異常発生時のメール通知先）等、登録済みのデータを、任意に変更することができる。
【００５５】
図１３に示される「運用情報メニュー」画面上で、監視端末装置に関するデータの「表示」を選択した場合は、まず「接続ＢＯＸ一覧」画面が開かれ（ステップＳ１２１）、ここに一覧表示された監視端末装置リストから任意の監視端末装置を選択することによって、「＜表示＞接続ＢＯＸ情報」画面が開かれる（ステップＳ１２２）。この「＜表示＞接続ＢＯＸ情報」画面では、上述の「＜登録＞接続ＢＯＸ情報」画面で登録され、あるいは上述の「＜変更＞接続ＢＯＸ情報」画面で変更登録された、当該ユーザが使用する監視端末装置のＩＤ、接続チャネル数、装置番号、設置場所、異常発生時の発報間隔、設置場所での管理担当者（異常発生時のメール通知先）と、ユーザＩＤ等、登録済みのデータが一覧表示される。
【００５６】
図１３に示される「運用情報メニュー」画面上で、監視条件データの「登録／変更」を選択した場合は、まず「接続ＢＯＸ一覧」画面が開かれ（ステップＳ１２３）、ここに一覧表示された監視端末装置リストから任意の監視端末装置を選択することによって、「＜登録／変更＞接続ＢＯＸ監視条件」画面が開かれる（ステップＳ１２４）。この「＜登録／変更＞接続ＢＯＸ監視条件」画面では、図１６に示されるように、当該ユーザが使用する監視端末装置による監視条件の規定値（図示の例では、「電源異常：３分　適温異常：６０分　霜取り異常：９０分」となっている）のほか、監視条件の入力フィールドが、冷凍コンテナの接続チャネル毎に設けられている。すなわち、予め規定された監視条件のデータは、これらの入力フィールドへの入力及び登録ボタンのクリックによって、接続チャネル毎に任意に登録又は変更することができる。
【００５７】
図１３に示される「運用情報メニュー」画面上で、監視条件データの「表示」を選択した場合は、まず「接続ＢＯＸ一覧」画面が開かれ（ステップＳ１２５）、ここに一覧表示された監視端末装置リストから任意の監視端末装置を選択することによって、「＜表示＞接続ＢＯＸ監視条件」画面が開かれる（ステップＳ１２６）。この「＜表示＞接続ＢＯＸ監視条件」画面では、当該ユーザが使用する監視端末装置の各接続チャネルにおける監視条件の規定データ、又は上述の「＜登録／変更＞接続ＢＯＸ監視条件」画面による監視条件の変更データが一覧表示される。
【００５８】
図１３に示される「運用情報メニュー」画面上で、システムに関するデータの「登録／変更」を選択した場合は、「システム情報＜登録／変更＞」画面が開かれる（ステップＳ１２７）。この「システム情報＜登録／変更＞」画面では、本システムが利用するメールサーバの名称や、運用管理者の電子メールアドレス等を登録又は変更することができる。
【００５９】
図１３に示される「運用情報メニュー」画面上で、システムに関するデータの「表示」を選択した場合は、「システム情報＜表示＞」画面が開かれる（ステップＳ１２８）。この「システム情報＜表示＞」画面では、上述の「システム情報＜登録／変更＞」画面で登録又は変更されたメールサーバの名称や、運用管理者の電子メールアドレス等が表示される。
【００６０】
また、図１０に示される「管理者メニュー」画面上で、「削除」が選択された場合は、「削除選択」画面が開かれる（ステップＳ１２９）。この「削除選択」画面は、図１７に示されるように、ユーザＩＤ削除ボタン、当該ユーザが使用する監視端末装置のＩＤ削除ボタン、ログ削除日時を指定する入力フィールド及びログ削除ボタンが設けられている。すなわち、ユーザＩＤや監視端末装置のＩＤ、過去のログ等を任意に削除することができる。
【００６１】
更に、図１０に示される「管理者メニュー」画面上で、「ＢＯＸ情報とお客様情報との整合性チェック」が選択された場合は、「ＢＯＸ情報とお客様情報との整合性チェック」画面が開かれる（ステップＳ１３０）。この画面には、ユーザＩＤと、監視端末装置のＩＤと、データベースに登録されている監視端末装置のＩＤが一致しない場合に、その旨表示される。
【００６２】
また、先に説明したステップＳにおいて、「お客様メニュー」を選択した場合は、「お客様メニュー」画面が開かれる（ステップＳ１３１）。「お客様メニュー」画面には、図１８に示されるように、「監視状況」「異常状況」「接続ＢＯＸ表示」「接続ＢＯＸ変更」「監視条件表示」「監視条件変更」等の選択メニューが表示される。
【００６３】
図１８に示される「お客様メニュー」画面上で、「監視状況」が選択された場合は、「監視状態一覧表示」画面（ステップＳ１３２）及び「接続ＢＯＸ状況表示」画面（ステップＳ１３３）を開くことができる。「監視状態一覧表示」画面は、先に説明した図１１と同様であり、「接続ＢＯＸ状況表示」画面は、先に説明した図１２と同様である。
【００６４】
図１８に示される「お客様メニュー」画面上で、「異常状況」が選択された場合は、「異常状況一覧」画面が開かれる（ステップＳ１３４）。この「異常状況一覧」画面は、先に説明した図１０の「管理者メニュー」画面から開かれるものと同様で、すなわちいずれかの冷凍コンテナに異常が発生している場合は、異常発生時刻、監視端末装置ＩＤ、異常の内容、メール通知時刻、メール通知先、及び確認ボタン等が表示される。確認ボタンを押せば、次回からは表示されない。
【００６５】
図１８に示される「お客様メニュー」画面上で、「接続ＢＯＸ変更」が選択された場合は、まず「接続ＢＯＸ一覧」画面が開かれ（ステップＳ１３５）、ここに一覧表示された監視端末装置のリストから任意の監視端末装置を選択することによって、「＜変更＞接続ＢＯＸ情報」画面が開かれる（ステップＳ１３６）。この「＜変更＞接続ＢＯＸ情報」画面は、先に説明したものと同様であり、すなわち当該ユーザが使用する監視端末装置の接続チャネル数、装置番号、設置場所、異常発生時の発報間隔、設置場所での管理担当者（異常発生時のメール通知先）等、登録済みのデータを、任意に変更することができる。
【００６６】
図１８に示される「お客様メニュー」画面上で、「接続ＢＯＸ表示」が選択された場合は、まず「接続ＢＯＸ一覧」画面が開かれ（ステップＳ１３７）、ここに一覧表示された監視端末装置のリストから任意の監視端末装置を選択することによって、「＜表示＞接続ＢＯＸ情報」画面が開かれる（ステップＳ１３８）。この「＜表示＞接続ＢＯＸ情報」画面は、先に説明したものと同様であり、すなわち図１５の「＜登録＞接続ＢＯＸ情報」画面で登録され、あるいは「＜変更＞接続ＢＯＸ情報」画面で変更登録された、当該ユーザが使用する監視端末装置のＩＤ、接続チャネル数、装置番号、設置場所、異常発生時の発報間隔、設置場所での管理担当者（異常発生時のメール通知先）と、ユーザＩＤ等、登録済みのデータが表示される。
【００６７】
図１８に示される「お客様メニュー」画面上で、「監視条件変更」が選択された場合は、まず「接続ＢＯＸ一覧」画面が開かれ（ステップＳ１３９）、ここに一覧表示された単一乃至複数の監視端末装置から任意の監視端末装置を選択することによって、「＜登録／変更＞接続ＢＯＸ監視条件」画面が開かれる（ステップＳ１４０）。この「＜登録／変更＞接続ＢＯＸ監視条件」画面は、先に説明した図１３の「運用情報メニュー」画面から開かれるものと同様であって、すなわち、予め規定された監視条件のデータは、画面に設けられた入力フィールドへの入力及び登録ボタンのクリックによって、接続チャネル毎に任意に登録又は変更することができる。
【００６８】
図１８に示される「お客様メニュー」画面上で、「監視条件表示」が選択された場合は、まず「接続ＢＯＸ一覧」画面が開かれ（ステップＳ１４１）、ここに一覧表示された単一乃至複数の監視端末装置から任意の監視端末装置を選択することによって、「＜表示＞接続ＢＯＸ監視条件」画面が開かれる（ステップＳ１４２）。この「＜表示＞接続ＢＯＸ監視条件」画面は、先に説明した図１３の「運用情報メニュー」画面から開かれるものと同様であって、すなわち当該ユーザが使用する監視端末装置の各接続チャネルにおける監視条件の規定データや、「＜登録／変更＞接続ＢＯＸ監視条件」画面による監視条件の変更データが一覧表示される。
【００６９】
なお、上述した実施の形態においては、コンテナヤードに保管した冷凍コンテナ１０を監視対象とする場合について説明したが、本発明は冷凍コンテナの遠隔監視に限定されるものではなく、例えば、倉庫の空調設備など、他の監視対象機器を遠隔監視する場合についても適用することができる。
【００７０】
【発明の効果】
請求項１の発明に係る遠隔監視システムによれば、多数の監視対象機器を、監視端末装置及び通信網を介して常時遠隔監視・集中監視することができ、監視対象機器に異常が生じた場合は、直ちにユーザの通信端末装置へ発報されるので、巡回による監視を不要にすることができる。したがって、管理担当者の労力を著しく軽減して、省力化を図ることができると共に、異常発生時の迅速な対応が可能であり、管理の信頼性を著しく向上させることができる。
【００７１】
請求項２の発明に係る遠隔監視システムによれば、監視端末装置が、複数の監視対象機器と接続可能であるため、安価な通信費用で、多数の監視対象機器を遠隔監視することができる。
【００７２】
請求項３の発明に係る遠隔監視システムによれば、通信網への監視端末装置の接続が非固定ＩＰ接続によるものであり、前記監視端末装置は、自己の現在のＩＰアドレスをＵＤＰ／ＩＰプロトコルにより監視サーバへ通知して接続するものであるため、安価な通信費用で、多数の監視対象機器を遠隔監視することができる。
【００７３】
請求項４の発明に係る遠隔監視システムによれば、ユーザが、監視サーバで収集された監視対象機器の運転データや異常データを、Ｗｅｂ画面上に、随時入手することができる。
【００７４】
請求項５の発明に係る遠隔監視システムによれば、監視対象機器の異常発生時に、ユーザにおける特定の通信端末装置が通信不可能であっても、異常検出データが、ユーザにおける他の通信端末装置へ送信されるため、異常の発生を確実に報知することができる。
【００７５】
請求項６の発明に係る遠隔監視システムによれば、冷凍コンテナのパワーオフ異常、庫内温度の適温外異常及び霜取り異常の有無を常時遠隔監視・集中管理するため、巡回による監視を不要にすることができ、冷凍コンテナに異常が発生した場合は、直ちにユーザの通信端末装置へ発報されるので、庫内の生鮮食品等が傷まないように迅速な対応を行うことができる。
【図面の簡単な説明】
【図１】本発明に係る遠隔監視システムを、冷凍コンテナの監視に適用した好ましい実施の形態を概略的に示す説明図である。
【図２】図１における監視端末装置１０の内部構造を示す説明図である。
【図３】図１における監視端末装置１０の外観図である。
【図４】図１における監視端末装置１０及びルータ２０のパラメータの設定例を示す説明図である。
【図５】図１に示される形態におけるデータの流れを示す説明図である。
【図６】図１における監視サーバ３０による処理ブロックを示す説明図である。
【図７】図６におけるＷｅＢ画面対応制御部３５による画像表示の流れを示すフローチャートである。
【図８】図６におけるＷｅＢ画面対応制御部３５による画像表示の流れを示すフローチャートである。
【図９】図６におけるＷｅＢ画面対応制御部３５による画像表示の流れを示すフローチャートである。
【図１０】「管理者メニュー」画面の表示例を示す説明図である。
【図１１】「監視状態一覧表示」画面の表示例を示す説明図である。
【図１２】「接続ＢＯＸ状況表示」画面の表示例を示す説明図である。
【図１３】「運用情報メニュー」画面の表示例を示す説明図である。
【図１４】「＜登録＞お客様情報」画面の表示例を示す説明図である。
【図１５】「＜登録＞接続ＢＯＸ情報」画面の表示例を示す説明図である。
【図１６】「＜登録／変更＞接続ＢＯＸ監視条件」画面の表示例を示す説明図である。
【図１７】「削除選択」画面の表示例を示す説明図である。
【図１８】「お客様メニュー」画面の表示例を示す説明図である。
【符号の説明】
１，２　コンテナヤード
３　イーサネット（登録商標）
４　インターネット
５　監視センタ
Ａ　冷凍コンテナ
１０　監視端末装置
１０１１〜１０１６　監視データ入力ポート
２０　ルータ
３０　監視サーバ
４０　ユーザパソコン
５０　携帯電話機（通信端末装置）
【図１】
2004005136.tif 000003
【図２】
2004005136.tif 000004
【図３】
2004005136.tif 000005
【図４】
2004005136.tif 000006
【図５】
2004005136.tif 000007
【図６】
2004005136.tif 000008
【図７】
2004005136.tif 000009
【図８】
2004005136.tif 000010
【図９】
2004005136.tif 000011
【図１０】
2004005136.tif 000012
【図１１】
2004005136.tif 000013
【図１２】
2004005136.tif 000014
【図１３】
2004005136.tif 000015
【図１４】
2004005136.tif 000016
【図１５】
2004005136.tif 000017
【図１６】
2004005136.tif 000018
【図１７】
2004005136.tif 000019
【図１８】
2004005136.tif 000020